(57)【特許請求の範囲】
【請求項１】
天井面に沿って配線されたフラットケーブルのケーブル本体が接続される端子台であって、壁面に埋込配設された前面開口したボックス内に配置され前面に端子ねじが設けられた端子台本体と、端子台本体をボックスに取り付ける取付金具とを備え、前記取付金具は、ボックスの後壁に当接し固定具を用いてボックスの後壁に固定される固定片と、前記固定片よりも下側に位置し前記端子台本体が前面側に配設される取付片と、前記固定片よりも上側に位置してボックス内でケーブル本体を端子台本体へ案内し前面側に配置される押え金具との間にケーブル本体を保持する案内片とが形成され、前記案内片には、前記押え金具に設けたねじ挿通孔に挿通された取付ねじが螺合するねじ孔が形成され、前記案内片と前記押え金具との互いの対向面の少なくとも一方には、対向面間に隙間を形成するリブが突設されてなることを特徴とする端子台。
【請求項２】
前記リブの突出寸法は、前記ケーブル本体の厚さ寸法よりも大きく設定されてなることを特徴とする請求項１記載の端子台。
【請求項３】
前記押え金具は、ボックスの前面側で天井面との間にフラットケーブルを挟持する挟持片が一体に形成されてなることを特徴とする請求項１または請求項２記載の端子台。
【請求項４】
前記挟持片の高さを調整する高さ調整手段を備えることを特徴とする請求項３記載の端子台。
【請求項５】
前記取付ねじおよび前記ねじ挿通孔が前記高さ調整手段を兼ねてなることを特徴とすることを特徴とする請求項４記載の端子台。
【請求項６】
前記ねじ挿通孔は、前記挟持片の高さの調整範囲を規定する長孔状に形成されてなることを特徴とする請求項５記載の端子台。
【請求項７】
前記取付金具は、前記固定片の上下両端部からそれぞれ脚片が前方に向かって延設され、前記取付片は、前記両脚片のうちボックスの下壁に近い脚片の先端部からボックスの下壁に向かって延設され、前記案内片は、前記両脚片のうちボックスの上壁に近い脚片の先端部からボックスの上壁に向かってボックスの後壁からの距離が大きくなるように傾斜する形で延設されてなることを特徴とする請求項１ないし請求項６のいずれかに記載の端子台。
【発明の詳細な説明】
【０００１】
【発明の属する技術分野】
本発明は、天井面に沿って配線されたフラットケーブルが壁面に埋込配設されたボックス内で接続される端子台に関するものである。
【０００２】
【従来の技術】
近年、図１４に示すように、壁面に埋込配設された前面開口したボックス１０内に配置されフラットケーブルが接続される端子台１’が提案されている。この端子台１’は、端子台本体７０と、端子台本体７０をボックス１０に取り付ける取付金具３０’と、後述の押え金具４０’とを備えている。ここに、端子台本体７０は、リード線を接続するための端子ねじ（図示せず）の頭部およびフラットケーブルのケーブル本体３ａを接続するための締付ねじ７５の頭部が前面に露出した基台７３と、基台７３の後面側に配設され締付ねじ７５が挿通される挿通孔が形成された絶縁板７４と、絶縁板７４の後面に配設され締付ねじ７５が螺合するねじ孔が形成された取付ベース７２とを備えており、基台７３と絶縁板７４との間にケーブル本体３ａを挟んで締付ねじ７５を締め付けることにより、フラットケーブルのケーブル本体３ａが接続されるようになっている。
【０００３】
取付金具３０’は、図１５に示すように、固定ねじ（図示せず）が挿通される長孔３１ａ，３１ａが長手方向の両端部に形成されボックス１０の後壁に当接する帯板状の固定片３１’と、固定片３１’の上下両端部からそれぞれ前方へ延設された一対の脚片３２’，３３’とを備え、ボックス１０の下壁に近い脚片３３’の先端部からは前面側に端子台本体７０が配設される取付片３４’が下壁に向かって鉛直下方へ延設され、ボックス１０の上壁に近い脚片３２’の先端部からはボックス１０内でフラットケーブルのケーブル本体３ａを端子台本体７０へ案内する案内片３５’がボックス１０の上壁に向かって鉛直上方へ延設されている。なお、ボックス１０の上壁に近い脚片３２’は、天井面に沿って配線されたフラットケーブルのケーブル本体３ａを端子台本体７０へ案内するための案内片３５’が延設されるものであるから、下壁に近い脚片３３’よりも固定片３１’からの突出寸法を大きく設定してある。
【０００４】
ところで、図１４に示すように、案内片３５’の前面側には、当該案内片３５’との間にケーブル本体３ａを保持する上記押え金具４０’が配設されている。押え金具４０’は、図１６に示すように帯状の金属板よりなり、案内片３５’に取り付けるための取付ねじ４１が挿通される挿通孔４２’が長手方向の両端部に形成されている。一方、案内片３５’は、図１５に示すように、帯板状（横長の平板状）に形成され、押え金具４０’の挿通孔４２’に挿通された取付ねじ４１が螺合するねじ孔３５ａが長手方向の両端部（左右方向の両端部）に設けられている。したがって、案内片３５’と押え金具４０’との間にケーブル本体３ａを挟んだ状態で取付ねじ４１を締め付けることにより、案内片３５’と押え金具４０’との間にケーブル本体３ａを挟持することができるので、ボックス１０内でのフラットケーブルの位置決めがなされる。
【０００５】
【発明が解決しようとする課題】
しかしながら、上記従来の端子台１’では、案内片３５’と押え金具４０’との間にケーブル本体３ａを挟んで、取付ねじ４１を締め付けた際にケーブル本体３ａの被覆が破れてしまう恐れがあり、取付ねじ４１の締め付け作業に注意を要し施工に手間がかかるという不具合があった。また、取付ねじ４１として比較的長さの短いものを使用した場合、図１７に示すように、案内片３５’と押え金具４０’とが傾いてしまいケーブル本体３ａに張力が作用したり、ケーブル本体３ａの被覆が破れてしまう恐れがあった。また、案内片３５’は天井面に近い位置に配置され且つ天井面にほぼ直交しているから、図１８に示すようにドライバ２４の先端部により取付ねじ４１を回転させる作業がしずらく施工性が悪いという不具合があった。さらに、ボックス１０の近傍に天井面との間でフラットケーブルを挟持する天井用押え金具を別途に用意する必要があるので、施工に手間がかかるとともにコストが高くなってしまうという不具合があった。しかも天井用押え金具を天井面に固定するためにねじを打ち込む必要があり、見栄えが悪くなってしまうという不具合があった。
【０００６】
本発明は上記事由に鑑みて為されたものであり、その目的は、施工性の良い端子台を提供することにある。
【０００７】
【課題を解決するための手段】
請求項１の発明は、天井面に沿って配線されたフラットケーブルのケーブル本体が接続される端子台であって、壁面に埋込配設された前面開口したボックス内に配置され前面に端子ねじが設けられた端子台本体と、端子台本体をボックスに取り付ける取付金具とを備え、前記取付金具は、ボックスの後壁に当接し固定具を用いてボックスの後壁に固定される固定片と、前記固定片よりも下側に位置し前記端子台本体が前面側に配設される取付片と、前記固定片よりも上側に位置してボックス内でケーブル本体を端子台本体へ案内し前面側に配置される押え金具との間にケーブル本体を保持する案内片とが形成され、前記案内片には、前記押え金具に設けたねじ挿通孔に挿通された取付ねじが螺合するねじ孔が形成され、前記案内片と前記押え金具との互いの対向面の少なくとも一方には、対向面間に隙間を形成するリブが突設されてなることを特徴とするものであり、前記案内片と前記押え金具との間にフラットケーブルのケーブル本体を通した状態で前記取付ねじを締め付ける際にケーブル本体の被覆が破れるのを防ぐことができ、施工性が向上する。
【０００８】
請求項２の発明は、請求項１の発明において、前記リブの突出寸法は、前記ケーブル本体の厚さ寸法よりも大きく設定されているので、ケーブル本体の被覆が破れるのをより確実に防ぐことができる。
【０００９】
請求項３の発明は、請求項１または請求項２の発明において、前記押え金具は、ボックスの前面側で天井面との間にフラットケーブルを挟持する挟持片が一体に形成されているので、フラットケーブルを天井面との間に挟持する天井用押え金具を別途に用意する必要がなく、施工性が向上するとともに配線システム全体での低コスト化を図ることができる。
【００１０】
請求項４の発明は、請求項３の発明において、前記挟持片の高さを調整する高さ調整手段を備えるので、フラットケーブルを天井面との間に確実に挟持することができ、施工性が向上する。
【００１１】
請求項５の発明は、請求項４の発明において、前記取付ねじおよび前記ねじ挿通孔が前記高さ調整手段を兼ねているので、部品点数を削減することができ、施工性が向上するとともに低コスト化を図れる。
【００１２】
請求項６の発明は、請求項５の発明において、前記ねじ挿通孔は、前記挟持片の高さの調整範囲を規定する長孔状に形成されているので、前記ねじ挿通孔に挿通された取付ねじを抜くことなく前記挟持片の高さ調整を行うことができ、施工性が向上する。
【００１３】
請求項７の発明は、請求項１ないし請求項６の発明において、前記取付金具は、前記固定片の上下両端部からそれぞれ脚片が前方に向かって延設され、前記取付片は、前記両脚片のうちボックスの下壁に近い脚片の先端部からボックスの下壁に向かって延設され、前記案内片は、前記両脚片のうちボックスの上壁に近い脚片の先端部からボックスの上壁に向かってボックスの後壁からの距離が大きくなるように傾斜する形で延設されているので、ドライバなどの工具の先端部により前記取付ねじを締め付けたり緩めたりする作業が容易になり、施工性が向上する。
【００１４】
【発明の実施の形態】
本発明に係る端子台１を備えた配線システムの一例について図１ないし図１３を参照しながら説明する。
【００１５】
図１に示す配線システムは、天井パネル２の下面２ａ（以下、天井面２ａと称す。）側に配設された引掛埋込ローゼット５と、壁面に埋込配設された中継用のボックス１０内に配置された端子台１とが天井面２ａに沿って配線されたフラットケーブル３を介して接続される。なお、フラットケーブル３は、図４に示すように、帯状の導体（銅）よりなる３本の芯線３ｄが絶縁被覆されたシート状のケーブル本体３ａと、ケーブル本体３ａを挟み込む一対の保護シート３ｂ，３ｃとで構成される。ここに、一方の保護シート３ｂは、鋼板により形成され、他方の保護シート３ｃは、塩化ビニルにより形成されている。なお、上記他方の保護シート３ｃが天井面２ａに当接している。
【００１６】
天井パネル２には、フラットケーブル３のケーブル本体３ａが接続される端子台本体７０を取付可能な取付金具５２が天井面固定ねじ５１を用いて固定されている。ここに、取付金具５２は、天井面固定ねじ５１が挿通される挿通孔５３が穿孔された固定片５２ｃを備えている。また、取付金具５２は、下方に向かって折曲された一対の折曲片５２ａ，５２ａ（図２参照）を有し、各折曲片５２ａ，５２ａの先端部からは、引掛埋込ローゼット５が取着された取付枠５０が取付枠固定ねじ５４を用いて取り付けられる固定片５２ｂ，５２ｂが水平方向において互いの先端部が近づく向きに延設されている。なお、各固定片５２ｂ，５２ｂには、取付枠固定ねじ５４が螺合するねじ孔５５が形成されている。
【００１７】
また、天井パネル２の天井面２ａ側には、取付金具５２を囲む形で配設される円筒状のボディ６０がボディ固定ねじ６１を用いて取付金具５２に固定されている。ボディ６０は合成樹脂により形成され、ボディ６０の上下方向における中間部の内周面からは、天井面２ａと平行に中間板６２が延設されている。中間板６２には、図２に示すように端子台本体７０などが挿通される窓孔が形成され、窓孔の内周縁から、ボディ固定ねじ６１（図２参照）が挿通される挿通孔が穿孔された固定片６２ａが延設されている。
【００１８】
ところで、ボディ６０の下面側には中央部に引掛埋込ローゼット５を露出させる開口窓８１が形成された化粧プレート８０が着脱自在に取り付けられる。なお、引掛埋込ローゼット５の器体５ａの下面には、図３に示すように、先端部がＬ字状である引掛栓刃が挿入される一対の引掛栓刃挿入口６，６が開口されている。ここにおいて、両引掛栓刃挿入口６，６は、引掛埋込ローゼ−ット５の器体５ａの底壁の中心を中心とする一つのの円弧上に形成され、それぞれ弧状に形成されており、引掛栓刃を引掛栓刃挿入口６の幅広部６ａから引掛栓刃挿入口６に挿入した後に引掛栓刃を図における右回りに回転させ引掛栓刃の先端部を引掛栓刃挿入口６の幅狭部６ｂの周縁に重複させることにより、引掛栓刃の先端部を引掛埋込ローゼット５の器体５ａ内に設けられた引掛刃受部（図示せず）に保持させるようになっている。さらに、器体５ａの底壁の中央部には、平板状の差込栓刃が挿入される一対の差込栓刃挿入口７，７が開口されており、器体５ａ内に設けられた差込刃受部（図示せず）に差込栓刃挿入口７から挿入された差込栓刃を保持させるようになっている。ここに、各引掛刃受部は、それぞれ差込刃受部と電気的に接続されている。要するに、上述の引掛埋込ローゼット５は、一対の差込栓刃挿入口７，７と一対の引掛栓刃挿入口６，６とが設けられているので、引掛栓刃を備えた器具に限らず、Ｕプラグを備えた器具を接続することができる。
【００１９】
ボディ６０の下端縁からは化粧プレート８０の後面から突設した係止突起（図示せず）を係止する化粧プレート係止孔６３（図４参照）が形成された４つの化粧プレート取付片６４が内方へ延設されており、化粧プレート係止孔６３に上記係止突起を挿入係止することでボディ６０の下面を覆う形で化粧プレート８０を着脱自在に取り付けることができるようになっている。
【００２０】
化粧プレート８０は、絶縁性を有する合成樹脂を用いて形成されたものであって、ボディ６０に結合するための上記係止突起を後面に４つ突設してある。また、化粧プレート８０の中央部には、取付枠５０に取り付けた引掛埋込ローゼット５の下面を露出させる上述の開口窓８１が設けてある。
【００２１】
ボディ６０内に収納される端子台本体７０は、前面を下面として配設され、両側縁が後方に折り曲げられ取付金具５２に端子台固定ねじ７１を用いて取り付けられる金属製の取付ベース７２と、取付ベース７２の前面に配設される絶縁板７４と、絶縁板７４の前面側に配設され４本の締付ねじ７５によって取付ベース７２に固定される絶縁材料よりなる基台７３とを備えている。ここに、取付ベース７２は、図４に示すように、基台７３よりも長手方向の寸法が大きく設定されており、長手方向の両端部にそれぞれ形成した凹所７２ａの底面に上記端子台固定ねじ７１が挿通される挿通孔７２ｂが穿孔されている。
【００２２】
基台７３は、直方体状に形成され、図４に示すように、上記締付ねじ７５が挿入される４つの挿通孔７６が長手方向に沿って列設されている。ここに、各挿通孔７６は、前後方向（図１における上下方向）に貫設されている。また、基台７３の短手方向の一側面には、リード線が挿入される一対の電線挿入口７７，７７（図２および図４参照）が３組設けられている。ここにおいて、一対の電線挿入口７７，７７は分離片７８によって仕切ってあるが、前面側において連通している。要するに、分離片７８は隣接する各一対の電線挿入口７７，７７の間に形成されている。
【００２３】
また、基台７３の前面において隣り合う挿通孔７６の間の部位には、端子ねじ（図示せず）が前面側から挿通される３つの円形状の端子窓７９（図４参照）が等ピッチで形成され、端子窓７９の周縁には全周に亘って前方に突出するリブ７９ａが突設されている。ここに端子窓７９のピッチは、フラットケーブル３のケーブル本体３ａに設けられた３本の芯線３ｄのピッチに等しく設定されている。また、各端子窓７９はそれぞれ一対の電線挿入口７７，７７に跨る位置に形成されており、基台７３内部には、上記端子ねじを締め付けることによって対応する電線挿入口７７から挿入されたリード線が接続される３個の端子板が収納されている。
【００２４】
端子台本体７０は、３本の芯線３ｄを被覆した絶縁フィルムを剥がして芯線３ｄを露出させたケーブル本体３ａを上記絶縁板７４と基台７３の後面との間に挟んだ状態で締付ねじ７５を締め付けて基台７３を取付ベース７２に固定することにより、ケーブル本体３ａが絶縁板２４と基台７３との間に挟持されるとともに、ケーブル本体３ａの各芯線３ｄがそれぞれ上記端子板に電気的に接続される。ここに、絶縁板７４には、締付ねじ７５が挿通される挿通孔（図示せず）が等ピッチで形成されている。また、フラットケーブル３は、ケーブル本体３ａの隣り合う芯線３ｄ間に芯線３ｄの長手方向に沿ったスリット３ｄが列設されており、４本の締付ねじ７５のうち配列方向の両側に位置する２本を除いた残りの２本の締付ねじ７５はスリット３ｄを通して絶縁板７４の上記挿通孔に挿入される。
【００２５】
しかして、ボディ６０内に収納された端子台本体７０において、引掛埋込ローゼット５の引掛刃受部および差込刃受部に接続された電線であるＩＶ線（リード線９）をフラットケーブル３と電気的に接続することができる。なお、フラットケーブル３のケーブル本体３ａにおける３本の芯線３ｄのうち中央の芯線３ｄはアース用に設けられている。
【００２６】
ところで、上記取付金具５２にはボディ６０内でフラットケーブル３のケーブル本体３ａを保持するための押え金具５６が押え金具固定ねじ５７を用いて取付金具５２に取着されている。ここに、押え金具５６は、図４中に破線で示すように、帯状に形成されており、押え金具固定ねじ５７が挿通される挿通孔５６ａが長手方向の両端部にそれぞれ形成されている。
【００２７】
また、引掛埋込ローゼット５は、一対の取付ねじ８（図３参照）を用いて取付枠５０に固定されるが、引掛埋込ローゼット５の上記引掛刃受部に電気的に接続されたＩＶ線は、取付枠５０の開口窓（図示せず）を通して端子台本体７０に接続される。
【００２８】
ボックス１０は、前面開口した直方体状に形成されており、図１および図５に示すように、離間して配設された一対の壁パネル４ａ，４ｂのうちの一方の壁パネル４ａに形成された取付孔１６に挿入され両壁パネル４ａ，４ｂ間に配設された一対のスペーサ（取付板）４ｃ，４ｃにそれぞれ２個のボックス固定ねじ１１（図１参照）を用いて取着されている。ここに、ボックス１０の左右方向（図５における左右方向）の両側壁には、ボックス固定ねじ１１が挿通される挿通孔（図示せず）が形成されている。
【００２９】
壁パネル４ａの前面（以下、壁面と称す。）には、左右方向の両端部からそれぞれ前方に折曲された一対の折曲片１４ａ，１４ａを有する取付枠１４が配設されており、取付枠１４の前面側には、取付枠１４を覆う形で合成樹脂製の化粧プレート１５がプレート枠１４に着脱自在に取り付けられている。
【００３０】
化粧プレート１５は、絶縁性を有する合成樹脂を用いて形成されたものであって、取付孔１６および取付枠１４の前面を覆う矩形状の前面板１５ａと、前面板１５ａの周縁から後方に突出する周壁１５ｃとを連続一体に形成してあり、後面および上面が開口されている。ここに、取付枠１４の各折曲片１４ａには化粧プレート１５の前面板１５ａの後面から突設した係止突起１５ｂを係止する化粧プレート係止孔１４ｂが形成されており、化粧プレート係止孔１４ｂに係止突起１５ｂを係止することで、化粧プレート１５を取付枠１４に着脱自在に取り付けることができるようになっている。したがって、化粧プレート１５を取り付けた状態では壁パネル４ａの前面側に取付枠１４や端子台本体７０が露出しないようして優れた外観に仕上げることができる。
【００３１】
ところで、ボックス１０内には、上述のボディ６０内に収納された端子台本体７０と同じ構成の端子台本体７０を備えた端子台１が収納されている。端子台１は、ボックス１０内に収納される端子台本体７０と、後述の取付金具３０と、後述の押え金具４０とで構成される。端子台本体７０の構成は上述のボディ６０内に配設されるものと同じなので、同一の符号を付して説明を省略する。なお、端子台本体７０における基台７３内部に収納されてフラットケーブル３のケーブル本体３ａの中央の芯線３ｄに接続される端子板は、リード線１７を介してフラットケーブル３の鋼板よりなる保護シート３ｂに電気的に接続されアースされている。また、ボックス１０内に配設された端子台１はフラットケーブル３と電線挿入口７７に挿入されたリード線（図示せず）との電気的な接続に利用しており、ボックス１０内の端子台１を介してフラットケーブル３に接続された残りのリード線（図示せず）は、ボックス１０の底壁に穿孔された電線挿通孔１３を通して配線される。また、図６および図７中の２１は、上記電線挿入口７７に挿入された電線を基台７３内に収納された端子板に接続する際に締め付ける上述の端子ねじを示す。
【００３２】
端子台１の端子台本体７０は、ボックス１０の後壁に固定具である一対の取付金具固定ねじ１９（図６および図７参照）を用いて固定された取付金具３０に取着される。ボックス１０は、各取付金具固定ねじ１９がそれぞれ螺合する２つのねじ孔１２（図７参照）が後壁に形成されており、各取付金具固定ねじ１９を取付金具３０に穿孔された一対の長孔３１ａ，３１ａ（図９参照）にそれぞれ通して取付金具固定ねじ１９をねじ孔１２に螺合させることで取付金具３０がボックス１０に固定されるようになっている。
【００３３】
取付金具３０は、図９に示すように、取付金具固定ねじ１９が挿通される上記長孔３１ａ，３１ａが長手方向の両端部に形成されボックス１０の後壁に当接する帯板状の固定片３１と、固定片３１の上下両端部からそれぞれ前方へ延設された両脚片３２，３３とを備え、ボックス１０の下壁に近い脚片３３の先端部からは前面側に端子台本体７０が配設される取付片３４が下壁に向かって延設され、ボックス１０の上壁に近い脚片３２の先端部からはボックス１０内でフラットケーブル３のケーブル本体３を端子台本体７０へ案内し前面側に配置される押え金具４０との間にケーブル本体３ａを保持する案内片３５がボックス１０の上壁に向かって延設されている。ここにおいて、ボックス１０の上壁に近い脚片３２は、ボックス１０の下壁に近い脚片３３よりも固定片３１からの突出寸法が大きく設定されている。また、案内片３５は、ボックス１０の上壁に向かって先端側ほどボックス１０の後壁からの距離が大きくなるように傾斜している。
【００３４】
案内片３５は、長手方向の両端部に、押え金具４０のねじ挿通孔４２（図１０参照）に挿通された一対の取付ねじ４１がそれぞれ螺合するねじ孔３５ａ，３５ａが形成されている。一方、押え金具４０は、図１０に示すように、ねじ挿通孔４２が穿孔され案内片３５に対向配置される押え片４３と、押え片４３の上端部から前方に延設された連絡片４４と、連絡片４４の前端部から上方に向かって延設された支持片４５と支持片４５の上端部から前方に延設され天井面２ａと間にフラットケーブル３を挟持する挟持片４６とが連続一体に形成されている。要するに、押え金具４０は、ボックス１０の前面側で天井面２ａとの間にフラットケーブル３を挟持する挟持片４６が一体に形成されている。したがって、フラットケーブル３を天井面２ａとの間に挟持するための天井用押え金具を別途に用意する必要がなく、施工性が向上するとともに配線システム全体での低コスト化を図ることができる。なお、支持片４５は、押え片４３とほぼ平行となっている。
【００３５】
また、案内片３５は、押え片４３との対向面において長手方向の両端部それぞれに、対向面間に隙間を形成するリブ３５ｂ，３５ｂ（図８、図９および図１１参照）が突設されている。ここに、リブ３５ｂの突出寸法は、フラットケーブル３のケーブル本体３ａの厚さ寸法よりも大きく設定されている。したがって、施工時において案内片３５と押え片４３との間にフラットケーブル３のケーブル本体３ａを通して取付ねじ４１を締め付けた際にフラットケーブル３のケーブル本体３ａの被覆が破れるのを防ぐことができ、施工性が向上する。また、取付金具３０の案内片３５が天井パネル２に近づくほどボックス１０の後壁との距離が大きくなるように傾斜しているので、図１２に示すように、ドライバ２４などの工具により取付ねじ４１を締め付けたり緩めたりする作業が容易になり、施工性が向上する。なお、本実施形態では、案内片３５に、押え片４３との間に隙間を形成するリブ３５ｂを突設してあるが、押え片４３における案内片３５との対向面にリブを突設してもよい。
【００３６】
ところで、押え金具４０の押え片４３に形成されたねじ挿通孔４２は、挟持片４６の高さの調整範囲を規定する長孔状に形成されている。したがって、ねじ挿通孔４２に挿通された取付ねじ４１を抜くことなく図１３（ａ）（ｂ）に示すように挟持片４６の高さ調整を行うことができるので、フラットケーブル３を天井面２ａとの間に確実に挟持することができ、施工性が向上する。ここに、取付ねじ４１およびねじ挿通孔４２が高さ調整手段を兼ねているので、部品点数を削減することができ、低コスト化を図れる。
【００３７】
【発明の効果】
請求項１の発明は、天井面に沿って配線されたフラットケーブルのケーブル本体が接続される端子台であって、壁面に埋込配設された前面開口したボックス内に配置され前面に端子ねじが設けられた端子台本体と、端子台本体をボックスに取り付ける取付金具とを備え、前記取付金具は、ボックスの後壁に当接し固定具を用いてボックスの後壁に固定される固定片と、前記固定片よりも下側に位置し前記端子台本体が前面側に配設される取付片と、前記固定片よりも上側に位置してボックス内でケーブル本体を端子台本体へ案内し前面側に配置される押え金具との間にケーブル本体を保持する案内片とが形成され、前記案内片には、前記押え金具に設けたねじ挿通孔に挿通された取付ねじが螺合するねじ孔が形成され、前記案内片と前記押え金具との互いの対向面の少なくとも一方には、対向面間に隙間を形成するリブが突設されてなるものであり、前記案内片と前記押え金具との間にフラットケーブルのケーブル本体を通した状態で前記取付ねじを締め付ける際にケーブル本体の被覆が破れるのを防ぐことができ、施工性が向上するという効果がある。
【００３８】
請求項２の発明は、請求項１の発明において、前記リブの突出寸法は、前記ケーブル本体の厚さ寸法よりも大きく設定されているので、ケーブル本体の被覆が破れるのをより確実に防ぐことができるという効果がある。
【００３９】
請求項３の発明は、請求項１または請求項２の発明において、前記押え金具は、ボックスの前面側で天井面との間にフラットケーブルを挟持する挟持片が一体に形成されているので、フラットケーブルを天井面との間に挟持する天井用押え金具を別途に用意する必要がなく、施工性が向上するとともに配線システム全体での低コスト化を図ることができるという効果がある。
【００４０】
請求項４の発明は、請求項３の発明において、前記挟持片の高さを調整する高さ調整手段を備えるので、フラットケーブルを天井面との間に確実に挟持することができ、施工性が向上するという効果がある。
【００４１】
請求項５の発明は、請求項４の発明において、前記取付ねじおよび前記ねじ挿通孔が前記高さ調整手段を兼ねているので、部品点数を削減することができ、施工性が向上するとともに低コスト化を図れるという効果がある。
【００４２】
請求項６の発明は、請求項５の発明において、前記ねじ挿通孔は、前記挟持片の高さの調整範囲を規定する長孔状に形成されているので、前記ねじ挿通孔に挿通された取付ねじを抜くことなく前記挟持片の高さ調整を行うことができ、施工性が向上するという効果がある。
【００４３】
請求項７の発明は、請求項１ないし請求項６の発明において、前記取付金具は、前記固定片の上下両端部からそれぞれ脚片が前方に向かって延設され、前記取付片は、前記両脚片のうちボックスの下壁に近い脚片の先端部からボックスの下壁に向かって延設され、前記案内片は、前記両脚片のうちボックスの上壁に近い脚片の先端部からボックスの上壁に向かってボックスの後壁からの距離が大きくなるように傾斜する形で延設されているので、ドライバなどの工具の先端部により前記取付ねじを締め付けたり緩めたりする作業が容易になり、施工性が向上するという効果がある。
【図面の簡単な説明】
【図１】本発明に係る端子台を利用した配線システムの概略構成図である。
【図２】同上の配線システムの要部断面図である。
【図３】同上の配線システムの要部下面図である。
【図４】同上の配線システムの要部説明図である。
【図５】同上の要部断面図である。
【図６】同上の端子台をボックス内に配設した状態の斜視図である。
【図７】図６の分解斜視図である。
【図８】図６の概略断面図である。
【図９】同上における取付金具を示し、（ａ）は正面図、（ｂ）は側面図である。
【図１０】同上における押え金具を示し、（ａ）は正面図、（ｂ）は下面図、（ｃ）は側面図である。
【図１１】同上の要部拡大図である。
【図１２】同上の要部説明図である。
【図１３】同上の要部説明図である。
【図１４】従来の端子台をボックス内に配置した状態の概略断面図である。
【図１５】同上における取付金具を示し、（ａ）は正面図、（ｂ）は側面図である。
【図１６】同上における押え金具を示し、（ａ）は正面図、（ｂ）は下面図である。
【図１７】同上の問題点の説明図である。
【図１８】同上の問題点の説明図である。
【符号の説明】
１  端子台
２ａ  天井面
３  フラットケーブル
３ａ  ケーブル本体
１０  ボックス
３０  取付金具
３１  固定片
３２  脚片
３３  脚片
３４  取付片
３５  案内片
３５ｂ  リブ
４０  押え金具
４１  取付ねじ
４３  押え片
４６  挟持片
７０  端子台本体
【図１】
0003651366.tif 000002
【図２】
0003651366.tif 000003
【図３】
0003651366.tif 000004
【図４】
0003651366.tif 000005
【図５】
0003651366.tif 000006
【図６】
0003651366.tif 000007
【図７】
0003651366.tif 000008
【図８】
0003651366.tif 000009
【図９】
0003651366.tif 000010
【図１０】
0003651366.tif 000011
【図１１】
0003651366.tif 000012
【図１２】
0003651366.tif 000013
【図１３】
0003651366.tif 000014
【図１４】
0003651366.tif 000015
【図１５】
0003651366.tif 000016
【図１６】
0003651366.tif 000017
【図１７】
0003651366.tif 000018
【図１８】
0003651366.tif 000019